(57)【特許請求の範囲】
【請求項１】
会員遊技者に所有される会員用記録媒体に対応付けて当該会員遊技者が獲得し当日のみ使用可能に貯蓄される会員当日貯蓄数を記憶すると共に、ビジタ遊技者に所有されるビジタ用記録媒体に対応付けて当該ビジタ遊技者が獲得し当日のみ使用可能に貯蓄されるビジタ当日貯蓄数を記憶する当日貯蓄数管理装置と通信するための第１通信手段と、
前記ビジタ用記録媒体を受け付けるビジタ用記録媒体受付装置と通信するための第２通信手段と、
前記会員用記録媒体に対応付けて前記会員遊技者が獲得し当日及び翌日以降も使用可能に貯蓄される過去貯蓄数を記憶する過去貯蓄数管理装置と通信可能であり、前記会員用記録媒体を受け付け、該受け付けた会員用記録媒体に対応する前記会員当日貯蓄数、前記過去貯蓄数、前記ビジタ用記録媒体受付装置により受け付けたビジタ用記録媒体に対応する前記ビジタ当日貯蓄数を使用した景品交換処理を行う景品交換装置と通信するための第３通信手段と、
を有する中継装置であって、
前記会員用記録媒体を受け付けた前記景品交換装置から当該会員用記録媒体の記録情報を受信したことに基づいて、当該会員用記録媒体に対応する会員当日貯蓄数を前記当日貯蓄数管理装置から取得する会員当日貯蓄数取得処理と、該取得した会員当日貯蓄数を前記景品交換処理に使用させるために前記景品交換装置に対して送信する会員当日貯蓄数送信処理とを行う会員当日貯蓄数処理手段と、
前記ビジタ用記録媒体を受け付けた前記ビジタ用記録媒体受付装置から当該ビジタ用記録媒体の記録情報を受信したことに基づいて、当該ビジタ用記録媒体に対応するビジタ当日貯蓄数を前記当日貯蓄数管理装置から取得するビジタ当日貯蓄数取得処理と、該取得したビジタ当日貯蓄数を前記景品交換処理に使用させるために前記景品交換装置に対して送信するビジタ当日貯蓄数送信処理とを行うビジタ当日貯蓄数処理手段と、
前記会員用記録媒体を受け付けた前記景品交換装置から当該会員用記録媒体の記録情報を受信したことに基づいて、前記ビジタ用記録媒体受付装置による前記ビジタ用記録媒体の受付を禁止するための受付禁止処理を行うと共に、前記景品交換処理を行った前記景品交換装置から当該景品交換処理の終了を示す景品交換終了通知を受信したことに基づいて、前記ビジタ用記録媒体受付装置による前記ビジタ用記録媒体の受付を許容するための受付許容処理を行うビジタ用記録媒体受付可否制御手段と、を有することを特徴とする中継装置。
【発明の詳細な説明】
【技術分野】
【０００１】
本発明は、遊技者が獲得し当日のみ使用可能に貯蓄される当日貯蓄数を記憶する当日貯蓄数管理装置，ビジタ用記録媒体を受け付けるビジタ用記録媒体受付装置，及び景品交換処理を行う景品交換装置のそれぞれと通信可能な中継装置に関する。
【背景技術】
【０００２】
従来より、特許文献１に示すように、会員遊技者が獲得し当日及び翌日以降も使用可能に貯蓄される貯玉数を記憶する貯玉サーバと、該貯玉サーバと通信可能であり、前記会員遊技者の会員カードを受け付けて、該会員カードから特定される前記貯玉数を使用した景品交換処理を行う景品交換装置と、を備える貯玉システムが知られている。
【０００３】
また特許文献２に示すように、遊技者が獲得し当日のみ使用可能に貯蓄される持玉数を記憶する持玉サーバと、該持玉サーバと通信可能であり、前記遊技者の持玉カードを受け付けて、該持玉カードから特定される前記持玉数を使用した景品交換処理を行う景品交換装置と、を備える持玉システムも知られている。
【先行技術文献】
【特許文献】
【０００４】
【特許文献１】特開２００８−２２９１４９号公報
【特許文献２】特開平７−５１４５８号公報
【発明の概要】
【発明が解決しようとする課題】
【０００５】
ここで管理会社の異なる貯玉システムと持玉システムとを導入する場合には、会員カードから特定される貯玉数と持玉カードから特定される持玉数とが別管理でそれぞれ存在することになり、共通の景品交換装置で景品交換処理を行うには、該景品交換装置と前記貯玉サーバ及び前記持玉サーバとの間で、貯玉数や持玉数を含む情報をやり取りするための中継装置が必要になる。そして、このような中継装置を介しての、玉数を含む情報の中継にあたっては、それぞれのシステムで管理する玉数を同時進行で更新しようとすると、制御の不都合等により、それぞれのシステムで玉数が二重に計上されるおそれがある。
【０００６】
本発明は、このような背景のもとになされたものであり、その目的は、当日のみ使用可能な遊技媒体数を管理するシステムと当日及び翌日以降も使用可能な遊技媒体数を管理するシステムとを導入するにあたり、該遊技媒体数を含む情報の確実なやり取りが担保できるような中継装置を提供することにある。
【課題を解決するための手段】
【０００７】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００８】
まず手段１は、
会員遊技者に所有される会員用記録媒体（会員カード２）に対応付けて当該会員遊技者が獲得し当日のみ使用可能に貯蓄される会員当日貯蓄数（持玉数）を記憶すると共に、ビジタ遊技者に所有されるビジタ用記録媒体（ビジタカード３）に対応付けて当該ビジタ遊技者が獲得し当日のみ使用可能に貯蓄されるビジタ当日貯蓄数（持玉数）を記憶する当日貯蓄数管理装置（持玉サーバ２０）と通信するための第１通信手段（第１通信部１１ａ）と、
前記ビジタ用記録媒体を受け付けるビジタ用記録媒体受付装置（カード受付装置３０）と通信するための第２通信手段（第２通信部１１ｂ）と、
前記会員用記録媒体に対応付けて前記会員遊技者が獲得し当日及び翌日以降も使用可能に貯蓄される過去貯蓄数（貯玉数）を記憶する過去貯蓄数管理装置（貯玉サーバ５０）と通信可能であり、前記会員用記録媒体を受け付け、該受け付けた会員用記録媒体に対応する前記会員当日貯蓄数、前記過去貯蓄数、前記ビジタ用記録媒体受付装置により受け付けたビジタ用記録媒体に対応する前記ビジタ当日貯蓄数を使用した景品交換処理を行う景品交換装置（４０）と通信するための第３通信手段（第３通信部１１ｃ）と、
を有する中継装置（１０）であって、
前記会員用記録媒体を受け付けた前記景品交換装置から当該会員用記録媒体の記録情報（Ｓｂ０２の会員カード挿入通知に含まれる会員カードＩＤ）を受信したことに基づいて、当該会員用記録媒体に対応する会員当日貯蓄数を前記当日貯蓄数管理装置から取得する会員当日貯蓄数取得処理（Ｓｂ１１のカード挿入通知を送信する処理）と、該取得した会員当日貯蓄数を前記景品交換処理に使用させるために前記景品交換装置に対して送信する会員当日貯蓄数送信処理（Ｓｂ２１の持玉数通知を送信する処理）とを行う会員当日貯蓄数処理手段（制御部１２）と、
前記ビジタ用記録媒体を受け付けた前記ビジタ用記録媒体受付装置から当該ビジタ用記録媒体の記録情報（Ｓｄ０２のカード情報通知に含まれるビジタカードＩＤ）を受信したことに基づいて、当該ビジタ用記録媒体に対応するビジタ当日貯蓄数を前記当日貯蓄数管理装置から取得するビジタ当日貯蓄数取得処理（Ｓｄ１１のカード挿入通知を送信する処理）と、該取得したビジタ当日貯蓄数を前記景品交換処理に使用させるために前記景品交換装置に対して送信するビジタ当日貯蓄数送信処理（Ｓｄ２１の持玉数通知を送信する処理）とを行うビジタ当日貯蓄数処理手段（制御部１２）と、
前記会員用記録媒体を受け付けた前記景品交換装置から当該会員用記録媒体の記録情報を受信したことに基づいて、前記ビジタ用記録媒体受付装置による前記ビジタ用記録媒体の受付を禁止するための受付禁止処理（Ｓｂ０３のカード受付禁止要求を送信する処理）を行うと共に、前記景品交換処理を行った前記景品交換装置から当該景品交換処理の終了を示す景品交換終了通知（Ｓｂ３２の処理結果通知）を受信したことに基づいて、前記ビジタ用記録媒体受付装置による前記ビジタ用記録媒体の受付を許容するための受付許容処理（Ｓｂ４８のカード受付許諾要求を送信する処理）を行うビジタ用記録媒体受付可否制御手段（制御部１２）と、を有することを特徴とする中継装置である。
【０００９】
また手段２に係る発明は、
手段１に記載した中継装置（１０）であって、
前記ビジタ用記録媒体受付可否制御手段（制御部１２）は、前記ビジタ用記録媒体（ビジタカード３）を受け付けた前記ビジタ用記録媒体受付装置（カード受付装置３０）から当該ビジタ用記録媒体の記録情報（Ｓｄ０２，Ｓｆ０２のカード情報通知に含まれるビジタカードＩＤ）を受信した後、前記ビジタ当日貯蓄数処理手段（制御部１２）により前記ビジタ当日貯蓄数送信処理（Ｓｄ２１の持玉数通知を送信する処理）を行う前に、前記会員用記録媒体（会員カード２）を受け付けた前記景品交換装置（４０）から当該会員用記録媒体の記録情報（Ｓｆ０２’の会員カード挿入通知に含まれる会員カードＩＤ）を受信したことに基づいて、前記ビジタ用記録媒体受付装置による前記ビジタ用記録媒体の受付を解除するための受付解除処理（Ｓｆ０４の排出許可通知を送信する処理）を行うことを特徴とする中継装置である。
【００１０】
また手段３に係る発明は、
手段１又は２に記載した中継装置（１０）であって、
前記会員当日貯蓄数処理手段は、前記会員当日貯蓄数送信処理に伴って、前記景品交換装置で受け付けた会員用記録媒体に基づく前記会員当日貯蓄数を零にするための会員当日貯蓄数零処理（持玉サーバの持玉数を零にするためにＳｄ１５のカード挿入レスポンスを送信する処理）を行うと共に、前記景品交換装置から会員当日貯蓄数（処理後持玉数を含むＳｂ３２の処理結果通知）を受信したことに基づいて、前記会員用記録媒体に基づく前記会員当日貯蓄数を当該受信した会員当日貯蓄数に更新するための会員当日貯蓄数更新処理（持玉サーバの持玉数を処理後持玉数に更新するためにＳｂ４１のカード排出通知を送信する処理）を行い、
前記ビジタ当日貯蓄数処理手段は、前記ビジタ当日貯蓄数送信処理に伴って、前記ビジタ用記録媒体受付装置で受け付けたビジタ用記録媒体に基づく前記ビジタ当日貯蓄数を零にするためのビジタ当日貯蓄数零処理（持玉サーバの持玉数を零にするためにＳｄ１５のカード挿入レスポンスを送信する処理，及びビジタカードが記録している持玉数を零にするためにＳｄ２３の記録更新要求を送信する処理）を行うと共に、前記景品交換装置からビジタ当日貯蓄数（処理後持玉数を含むＳｄ３２の処理結果通知）を受信したことに基づいて、前記ビジタ用記録媒体に基づく前記ビジタ当日貯蓄数を当該受信したビジタ当日貯蓄数に更新するためのビジタ当日貯蓄数更新処理（持玉サーバの持玉数を処理後持玉数に更新するためにＳｄ４１のカード排出通知を送信する処理，及びビジタカードが記録している持玉数を処理後持玉数に更新するためにＳｄ４８の記録更新要求を送信する処理）を行うことを特徴とする中継装置である。
【００１１】
また手段４に係る発明は、
手段１〜３のいずれか１つに記載した中継装置（１０）であって、
前記会員当日貯蓄数取得処理で取得した会員当日貯蓄数（記憶持玉数）と前記景品交換装置（５０）から受信した会員当日貯蓄数（処理後持玉数）とが正常な関係であるか否かを判定する会員当日貯蓄数判定手段（Ｓｂ３３の処理を行う制御部１２）と、
前記ビジタ当日貯蓄数取得処理で取得したビジタ当日貯蓄数（記憶持玉数）と前記景品交換装置から受信したビジタ当日貯蓄数（処理後持玉数）とが正常な関係であるか否かを判定する（Ｓｄ３３の判定を行う）ビジタ当日貯蓄数判定手段（制御部１２）と、
前記会員当日貯蓄数判定手段又は前記ビジタ当日貯蓄数判定手段により正常な関係でないと判定されたことに基づいて、所定の異常処理（Ｓｂ３４又はＳｄ３４のエラー処理）を行う異常処理手段（御部１２）と、をさらに有することを特徴とする中継装置である。
【００１２】
また手段５に係る発明は、
手段１〜４のいずれか１つ又に記載した中継装置（１０）であって、
前記当日貯蓄数管理装置（持玉サーバ２０）は、複数の種別（４エリア）の会員当日貯蓄数（持玉数）を記憶すると共に、複数の種別（４エリア）のビジタ当日貯蓄数（持玉数）を記憶し、
前記会員当日貯蓄数処理手段（制御部１２）は、前記複数の種別の会員当日貯蓄数を対象として、前記会員当日貯蓄数取得処理（Ｓｂ１１）と、前記会員当日貯蓄数送信処理（Ｓｂ２１）と、前記会員当日貯蓄数零処理（Ｓｂ１５）と、前記会員当日貯蓄数更新処理（Ｓｂ４１）とを行い、
前記ビジタ当日貯蓄数処理手段（制御部１２）は、前記複数の種別のビジタ当日貯蓄数を対象として、前記ビジタ当日貯蓄数取得処理（Ｓｄ１１）と、前記ビジタ当日貯蓄数送信処理（Ｓｄ２１）と、前記ビジタ当日貯蓄数零処理（Ｓｄ１５）と、前記ビジタ当日貯蓄数更新処理（Ｓｄ４１）とを行うことを特徴とする中継装置である。
【００１３】
また手段６に係る発明は、
手段１〜５のいずれか１つに記載した中継装置（１０）であって、
前記当日貯蓄数管理装置（持玉サーバ２０）及び前記ビジタ用記録媒体受付装置（カード受付装置３０）との通信が確立されているか否かを判定する（Ｓａ１２及びＳａ２２の判定を行う）通信確立判定手段（制御部１２）をさらに有し、
該通信確立判定手段により通信が確立されていると判定されたことを条件として、前記景品交換装置（４０）との通信を行うことを特徴とする中継装置である。
【００１４】
さらに手段７に係る発明は、
会員遊技者に所有される会員用記録媒体（会員カード２）に対応付けて当該会員遊技者が獲得し当日のみ使用可能に貯蓄される会員当日貯蓄数（持玉数）を記憶すると共に、ビジタ遊技者に所有されるビジタ用記録媒体（ビジタカード３）に対応付けて当該ビジタ遊技者が獲得し当日のみ使用可能に貯蓄されるビジタ当日貯蓄数（持玉数）を記憶する当日貯蓄数管理装置（持玉サーバ２０）と、
前記ビジタ用記録媒体を受け付けるビジタ用記録媒体受付装置（カード受付装置３０）と、
前記当日貯蓄数管理装置と通信するための第１通信手段（第１通信部１１ａ）と、前記ビジタ用記録媒体受付装置と通信するための第２通信手段（第２通信部１１ｂ）と、前記会員用記録媒体に対応付けて前記会員遊技者が獲得し当日及び翌日以降も使用可能に貯蓄される過去貯蓄数（貯玉数）を記憶する過去貯蓄数管理装置（貯玉サーバ５０）と通信可能であり、前記会員用記録媒体を受け付け、該受け付けた会員用記録媒体に対応する前記会員当日貯蓄数、前記過去貯蓄数、前記ビジタ用記録媒体受付装置により受け付けたビジタ用記録媒体に対応する前記ビジタ当日貯蓄数を使用した景品交換処理を行う景品交換装置と通信するための第３通信手段（第３通信部１１ｃ）と、を有する中継装置（１０）と、
を備える景品交換システム（１）であって、
前記中継装置は、
前記会員用記録媒体を受け付けた前記景品交換装置から当該会員用記録媒体の記録情報（Ｓｂ０２の会員カード挿入通知に含まれる会員カードＩＤ）を受信したことに基づいて、当該会員用記録媒体に対応する会員当日貯蓄数を前記当日貯蓄数管理装置から取得する会員当日貯蓄数取得処理（Ｓｂ１１のカード挿入通知を送信する処理）と、該取得した会員当日貯蓄数を前記景品交換処理に使用させるために前記景品交換装置に対して送信する会員当日貯蓄数送信処理（Ｓｂ２１の持玉数通知を送信する処理）とを行う会員当日貯蓄数処理手段（制御部１２）と、
前記ビジタ用記録媒体を受け付けた前記ビジタ用記録媒体受付装置から当該ビジタ用記録媒体の記録情報（Ｓｄ０２のカード情報通知に含まれるビジタカードＩＤ）を受信したことに基づいて、当該ビジタ用記録媒体に対応するビジタ当日貯蓄数を前記当日貯蓄数管理装置から取得するビジタ当日貯蓄数取得処理（Ｓｄ１１のカード挿入通知を送信する処理）と、該取得したビジタ当日貯蓄数を前記景品交換処理に使用させるために前記景品交換装置に対して送信するビジタ当日貯蓄数送信処理（Ｓｄ２１の持玉数通知を送信する処理）とを行うビジタ当日貯蓄数処理手段（制御部１２）と、
前記会員用記録媒体を受け付けた前記景品交換装置から当該会員用記録媒体の記録情報を受信したことに基づいて、前記ビジタ用記録媒体受付装置による前記ビジタ用記録媒体の受付を禁止するための受付禁止処理（Ｓｂ０３のカード受付禁止要求を送信する処理）を行うと共に、前記景品交換処理を行った前記景品交換装置から当該景品交換処理の終了を示す景品交換終了通知（Ｓｂ３２の処理結果通知）を受信したことに基づいて、前記ビジタ用記録媒体受付装置による前記ビジタ用記録媒体の受付を許容するための受付許容処理（Ｓｂ４８のカード受付許諾要求を送信する処理）を行うビジタ用記録媒体受付可否制御手段（制御部２２）と、を有することを特徴とする景品交換システムである。
【発明の効果】
【００１５】
まず手段１に係る中継装置によれば、景品交換装置で会員用記録媒体を受け付けてから景品交換処理が終了するまでは、ビジタ用記録媒体受付装置でのビジタ用記録媒体の受付が禁止されることにより、会員用記録媒体に基づく貯蓄数とビジタ用記録媒体に基づく貯蓄数とが同時進行で更新されることが無く、該貯蓄数を含む情報の確実なやり取りが担保できる。
【００１６】
また手段２に係る中継装置によれば、ビジタ用記録媒体受付装置でビジタ用記録媒体を受け付けても、ビジタ当日貯蓄数送信処理を行う前に景品交換装置で会員用記録媒体を受け付けると、ビジタ用記録媒体の受付が解除されるので、会員用記録媒体に基づく貯蓄数とビジタ用記録媒体に基づく貯蓄数とが同時進行で更新されることが無く、該貯蓄数を含む情報の確実なやり取りが担保できる。
【００１７】
また手段３に係る中継装置によれば、当日貯蓄数管理装置から取得した当日貯蓄数を景品交換装置に送信する際に、記録媒体に基づく当日貯蓄数を一旦零にする処理を行うことにより、該当日貯蓄数を景品交換装置の管理下に置き、景品交換装置から当日貯蓄数を受信すると、記録媒体に基づく当日貯蓄数を該受信した当日貯蓄数に更新する処理を行うことにより、該当日貯蓄数を再び当日貯蓄数管理装置の管理下に置くので、該当日貯蓄数を含む情報の確実なやり取りが担保できる。
【００１８】
また手段４に係る中継装置によれば、当日貯蓄数管理装置から取得した当日貯蓄数と景品交換装置から受信した当日貯蓄数とが正常な関係でなければ、所定の異常処理を行うので、異常な当日貯蓄数の発生を検知できる。
【００１９】
また手段５に係る中継装置によれば、当日貯蓄数管理装置で記憶している複数の種別の当日貯蓄数が全て景品交換装置に送信されて零にされるので、複数の種別の当日貯蓄数の、一部が当日貯蓄数管理装置の管理下にあり、一部が景品交換装置の管理下にあるという状況を防止できる。
【００２０】
また手段６に係る中継装置によれば、当日貯蓄数管理装置及びビジタ用記録媒体受付装置との通信が確立されていることを条件として景品交換装置との通信が行われるので、景品交換に際して当日貯蓄数を含む情報のやり取りができる状況であることを担保できる。
【００２１】
さらに手段７に係る景品交換システムによれば、景品交換装置で会員用記録媒体を受け付けてから景品交換処理が終了するまでは、ビジタ用記録媒体受付装置でのビジタ用記録媒体の受付が禁止されることにより、会員用記録媒体に基づく貯蓄数とビジタ用記録媒体に基づく貯蓄数とが同時進行で更新されることが無く、該貯蓄数を含む情報の確実なやり取りが担保できる。
【図面の簡単な説明】
【００２２】
【図１】図１は本発明に係る中継装置を含む景品交換システムの一例を表す機能ブロック図である。
【図２】図２（ａ）は持玉サーバが記憶している持玉ＤＢの一例を表す図であり、図２（ｂ）は貯玉サーバが記憶している貯玉ＤＢの一例を表す図である。
【図３】図３は稼働開始時における景品交換システムの作用の一例を表すフローチャートである。
【図４】図４は通常状態で景品交換装置が会員カードを受け付けた場合における景品交換システムの作用の一例を表すフローチャートである。
【図５】図５は通常状態でカード受付装置が会員カードを受け付けた場合における景品交換システムの作用の一例を表すフローチャートである。
【図６】図６は通常状態でカード受付装置がビジタカードを受け付けた場合における景品交換システムの作用の一例を表すフローチャートである。
【図７】図７は通常状態でビジタカードと会員カードとが受け付けられて持玉が貯玉される場合における景品交換システムの作用の一例を表すフローチャートである。
【図８】図８は通常状態でビジタカードと会員カードとが受け付けられてビジタカードが排出される場合における景品交換システムの作用の一例を表すフローチャートである。
【図９】図９は中継装置と持玉サーバとがオフラインの第１オフライン状態で景品交換装置が会員カードを受け付けた場合における景品交換システムの作用の一例を表すフローチャートである。
【図１０】図１０は中継装置と持玉サーバとがオフラインの第１オフライン状態でカード受付装置が会員カードを受け付けた場合における景品交換システムの作用の一例を表すフローチャートである。
【図１１】図１１は中継装置と持玉サーバとがオフラインの第１オフライン状態でカード受付装置がビジタカードを受け付けた場合における景品交換システムの作用の一例を表すフローチャートである。
【図１２】図１２は中継装置と景品交換装置とがオフラインの第２オフライン状態で景品交換装置が会員カードを受け付けた場合における景品交換システムの作用の一例を表すフローチャートである。
【図１３】図１３は中継装置と景品交換装置とがオフラインの第２オフライン状態でカード受付装置が会員カードを受け付けた場合における景品交換システムの作用の一例を表すフローチャートである。
【図１４】図１４は中継装置と景品交換装置とがオフラインの第２オフライン状態でカード受付装置がビジタカードを受け付けた場合における景品交換システムの作用の一例を表すフローチャートである。
【図１５】図１５は景品交換システムの一例を表す概略図であり、（ａ）は本実施形態，（ｂ）は変形例１，（ｃ）は変形例２である。
【発明を実施するための形態】
【００２３】
以下、本発明の実施の形態を、図面を参照して説明する。以下においては、データベースを「ＤＢ」，リーダ／ライタを「Ｒ／Ｗ」，ステップＳを「Ｓ」と略記する。
【００２４】
本発明は、図１に示すように、遊技者が獲得し当日のみ使用可能に貯蓄される当日貯蓄数（持玉数）を記憶する当日貯蓄数管理装置（持玉サーバ２０），ビジタ用記録媒体（ビジタカード３）を受け付けるビジタ用記録媒体受付装置（カード受付装置３０），及び景品交換処理を行う景品交換装置４０のそれぞれと通信可能な中継装置１０、並びに該中継装置１０を含む景品交換システム１に関する。
【００２５】
この本発明に係る中継装置１０及び景品交換システム１は、特に図４及び図６に示すように、中継装置１０において、持玉サーバ２０から取得した持玉数（Ｓｂ１３，Ｓｄ１３）を景品交換装置４０に送信する（Ｓｂ２１，Ｓｄ２１）際に、会員カード２又はビジタカード３に基づく持玉数（即ち会員カード２の会員カードＩＤに対応付けて持玉サーバ２０で記憶している持玉数、又はビジタカード３のビジタカードＩＤに対応付けて持玉サーバ２０で記憶している持玉数及びビジタカード３が記録している持玉数）を一旦零にする処理（Ｓｂ１５，Ｓｄ１５，Ｓｄ２３）を行うことにより、該持玉数を景品交換装置４０の管理下に置き、景品交換装置４０から減算後の当日貯蓄数を受信すると（Ｓｂ３２，Ｓｄ３２）、会員カード２又はビジタカード３に基づく持玉数を該減算後の持玉数に更新する処理（Ｓｂ４１，Ｓｄ４１，Ｓｄ４８）を行うことにより、該持玉数を再び持玉サーバ２０の管理下に置くので、該持玉数を含む情報の確実なやり取りが担保できることを特徴とするものである。
【００２６】
つまり、管理会社の異なる貯玉システムと持玉システムとを導入する場合には、会員カードから特定される貯玉数と持玉カードから特定される持玉数とが別管理でそれぞれ存在することになり、共通の景品交換装置で景品交換処理を行うには、該景品交換装置と前記貯玉サーバ及び前記持玉サーバとの間で、貯玉数や持玉数を含む情報をやり取りするための中継装置が必要になる。そして、このような中継装置を介しての、玉数を含む情報の中継にあたっては、通信異常等が生ずると、それぞれのシステムで玉数が二重に計上されるおそれがある。そこで本発明に係る中継装置１０及び景品交換システム１は、当日のみ使用可能な遊技媒体数を管理するシステムと当日及び翌日以降も使用可能な遊技媒体数を管理するシステムとを導入するにあたり、該遊技媒体数を含む情報の確実なやり取りが担保できるような中継装置と、該中継装置を含む景品交換システムを提供するものである。
【００２７】
また本発明に係る中継装置１０及び景品交換システム１は、特に図４に示すように、景品交換装置４０で会員用記録媒体を受け付けてから（Ｓｂ０１）景品交換処理が終了するまでは（Ｓｂ３１）、中継装置１０の処理により、カード受付装置３０でのビジタカード３の受付が禁止される（即ちＳｂ０１で会員カード２が挿入された景品交換装置４０からＳｄ０２の会員カード挿入通知を受信した中継装置がＳｄ０３のカード受付禁止要求を送信することにより、カード受付装置３０においてＳｂ０５でシャッタ３４が閉鎖されてビジタカード３の受付が禁止され、Ｓｂ３１で景品交換処理を終了した景品交換装置４０からＳｂ３２の処理結果通知を受信した中継装置１０がＳｂ４８のカード受付許諾要求を送信することにより、カード受付装置３０においてＳｂ５０でシャッタ３４が開放されてビジタカード３の受付が許容される）ことにより、会員カード２に基づく持玉数とビジタカード３に基づく持玉数とが同時進行で更新されることが無く、該持玉数を含む情報の確実なやり取りが担保できることを特徴とするものである。
【００２８】
つまり、管理会社の異なる貯玉システムと持玉システムとを導入する場合には、会員カードから特定される貯玉数と持玉カードから特定される持玉数とが別管理でそれぞれ存在することになり、共通の景品交換装置で景品交換処理を行うには、該景品交換装置と前記貯玉サーバ及び前記持玉サーバとの間で、貯玉数や持玉数を含む情報をやり取りするための中継装置が必要になる。そして、このような中継装置を介しての、玉数を含む情報の中継にあたっては、それぞれのシステムで管理する玉数を同時進行で更新しようとすると、制御の不都合等により、それぞれのシステムで玉数が二重に計上されるおそれがある。そこで本発明に係る中継装置１０及び景品交換システム１は、当日のみ使用可能な遊技媒体数を管理するシステムと当日及び翌日以降も使用可能な遊技媒体数を管理するシステムとを導入するにあたり、該遊技媒体数を含む情報の確実なやり取りが担保できるような中継装置と、該中継装置を含む景品交換システムを提供するものである。
【００２９】
さらに本発明は、図１に示すように、遊技者が獲得した遊技媒体数を貯蓄した貯蓄数（ここでは持玉数）を記憶する貯蓄数管理装置（ここでは持玉サーバ），及び該貯蓄数を使用した景品交換処理を行う景品交換装置４０のそれぞれと通信可能であり、前記貯蓄数を特定可能な記録媒体（ここではビジタカード３）を受け付ける遊技用装置（ここでは中継装置１０及びカード受付装置３０）に関し、特に図６に示すように、中継装置１０が、景品交換装置４０と通信可能状態（オンライン状態）では、該景品交換装置４０の指示（Ｓｄ３２）に応じてのみ、ビジタカード３から特定される持玉数を更新するための通信可能時貯蓄数更新処理（持玉サーバ２０が記憶している持玉数を更新するためにＳｄ４１のカード排出通知を送信する処理、及びビジタカード３が記録している持玉数を更新するためにＳｄ４８の記録更新要求を送信する処理）を行うが、図１４に示すように、景品交換装置４０と通信不能状態（オフライン状態）では、更新すべき景品交換後持玉数の入力を受け付けると（Ｓｌ４０）、景品交換装置４０の指示によらずに、ビジタカード３から特定される持玉数を該更新すべき景品交換後持玉数に更新するための通信不能時貯蓄数更新処理を行うので、景品交換装置４０と通信不能になったり景品交換装置４０が故障しても景品交換業務を可能にしつつ、持玉数管理の確実性を担保できることを特徴とするものである。
【００３０】
つまり、遊技用装置（ここでは中継装置１０）と景品交換装置４０との間がオフラインになった場合や、景品交換装置４０が故障した場合には、遊技用装置から景品交換装置４０に持玉数を送信できず、該持玉数を使用した景品交換処理ができないため、景品交換業務に支障が生ずる。ここで景品交換業務に支障が生じないように、遊技用装置と景品交換装置の双方で持玉数の更新を可能とすると、持玉サーバで管理している持玉数に二重計上などによる齟齬が出るおそれがある。そこで本発明に係る遊技用装置は、景品交換装置４０と通信不能になったり景品交換装置４０が故障しても景品交換業務を可能にしつつ、持玉数管理の確実性を担保できるような遊技用装置を提供するものである。
【００３１】
まず、図１を参照して、景品交換システム１の構成について説明する。この景品交換システム１には、持玉サーバ２０と、カード受付装置３０と、該持玉サーバ２０，カード受付装置３０，及び景品交換装置４０と通信可能な中継装置１０とが含まれる。また景品交換装置４０は、貯玉サーバ５０と通信可能である。これら中継装置１０，持玉サーバ２０，カード受付装置３０，景品交換装置４０，及び貯玉サーバ５０は、遊技場内に設けられる。
【００３２】
ここで景品交換システム１に含まれる中継装置１０，持玉サーバ２０，及びカード受付装置３０は、例えばＸ社が製造・販売するものであり、景品交換システム１に含まれない景品交換装置４０，及び貯玉サーバ５０は、例えば該Ｘ社以外のＹ社が製造・販売するものである。つまり中継装置１０は、管理会社の異なる貯玉システム（Ｙ社の貯玉サーバ５０）と持玉システム（Ｘ社の持玉サーバ２０）とを導入する場合において、貯玉数や持玉数を含む情報をやり取りするためのものである。
【００３３】
該中継装置１０と持玉サーバ２０との間にはＨＵＢ６が設けられ、該ＨＵＢ６には、遊技機（パチンコ機やパチスロ機）に対応して設けられ、該遊技機で獲得した遊技媒体数を計数する各台計数ユニット８が複数接続されている。この各台計数ユニット８において、カード（会員カード２又はビジタカード３）が受け付けられている状態で遊技媒体数の計数が行われると、該カードのカードＩＤ（会員カードＩＤ又はビジタカードＩＤ）と遊技媒体数の計数値とがＨＵＢ６を介して持玉サーバ２０に送信され、該持玉サーバ２０において、該送信されてきたカードＩＤに対応付けて記憶している持玉数に該送信されてきた計数値が加算更新されて貯蓄される。
【００３４】
この景品交換システム１では、記録媒体である会員カード２及びビジタカード３が使用される。これらカードは、長方形状を呈するプラスチック製の薄板における所定の部位に、不揮発性のＥＥＰＲＯＭを備える非接触式のＩＣチップを記録領域として備えている。なお、ここでいうカードには、円形状を呈するコインも含まれる。
【００３５】
会員カード２は、遊技場において会員登録を行った遊技者（会員遊技者）に対して発行される会員用記録媒体であり、該会員用記録媒体を個々に識別可能であると共に会員当日貯蓄数（持玉数）を特定可能な会員カードＩＤと、会員遊技者を個々に特定可能であると共に過去貯蓄数（貯玉数）を特定可能な会員ＩＤとが、ＩＣチップに予め記録されている。なお会員カード２のＩＣチップには、持玉数及び貯玉数は記録されない。
【００３６】
ビジタカード３は、遊技場において遊技者（ビジタ遊技者）に対して発行されるビジタ用記録媒体であり、該ビジタ用記録媒体を個々に識別可能な情報であると共にビジタ当日貯蓄数（持玉数）を特定可能なビジタカードＩＤが、ＩＣチップに予め記録されている。またＩＣチップには、持玉数も記録される。
【００３７】
中継装置１０は、制御部１２に接続される第１通信部１１ａ，第２通信部１１ｂ，第３通信部１１ｃ，ディスプレイ１３，入力装置１４，及びプリンタ１５を有するコンピュータである。
【００３８】
第１通信部１１ａは、ＨＵＢ６を介して持玉サーバ２０の後述する通信部２１と通信可能に接続され、中継装置１０と持玉サーバ２０との間における通信を司るものである。第２通信部１１ｂは、カード受付装置３０の後述する通信部３１と通信可能に接続され、中継装置１０とカード受付装置３０との間における通信を司るものである。第３通信部１１ｃは、景品交換装置４０の後述する中継装置通信部４１ｂと通信可能に接続され、中継装置１０と景品交換装置４０との間における通信を司るものである。
【００３９】
制御部１２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、中継装置１０に備えられる各構成要素の動作を制御して各種の処理を行うものであり、その処理については図３〜図１４を参照して後述する。
【００４０】
ディスプレイ１３は各種の情報を表示するものであり、例えば各種のエラー処理でエラー内容を表示する。入力装置１４は各種の情報を入力するものであり、例えば図１３のＳｋ４０や図１４のＳｌ４０で、景品交換後持玉数の入力を受け付ける。プリンタ１５は各種の情報を印刷して発行するものであり、例えば各種のエラー処理でエラー内容を印刷して発行し、また図１３のＳｋ４７’や図１４のＳｌ４７’で処理結果記録レシートを印刷して発行する。
【００４１】
持玉サーバ２０は、制御部２２に接続される通信部２１，及び持玉ＤＢ２３を有するコンピュータである。通信部２１は、前述の如く、中継装置１０との間における通信を司るものである。制御部２２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、持玉サーバ２０に備えられる各構成要素の動作を制御して各種の処理を行うものであり、その処理については図３〜図１４を参照して後述する。
【００４２】
持玉ＤＢ２３は、図２（ａ）に示すように、会員用記録媒体である会員カード２（ここでは前記会員当日貯蓄数特定情報である会員カードＩＤ）に対応付けて、会員遊技者が獲得した遊技媒体数が当日のみ使用可能に貯蓄された会員当日貯蓄数である会員用の持玉数を記憶すると共に、ビジタ用記録媒体であるビジタカード３（ここでは前記ビジタ当日貯蓄数特定情報であるビジタカードＩＤ）に対応付けて、ビジタ遊技者が獲得した遊技媒体数が当日のみ使用可能に貯蓄されたビジタ当日貯蓄数であるビジタ用の持玉数を記憶するものである。なお会員用の持玉ＤＢでは、会員カードＩＤ及び持玉数に対応付けて、当該会員遊技者の会員ＩＤも記憶されている。
【００４３】
そして持玉ＤＢ２３は、複数の種別（ここではエリア１〜エリア４の４種別）の会員用の持玉数，及びビジタ用の持玉数を記憶しており、ここではエリア１で、貸与単価及び交換単価（以下、「単価」と略称する、）が１円であるパチンコ玉の持玉数を記憶し、エリア２で、単価が４円であるパチンコ玉の持玉数を記憶し、エリア３で、単価が５円であるメダルの持玉数を記憶し、エリア４で、単価が２０円であるメダルの持玉数を記憶している。
【００４４】
カード受付装置３０は、制御部３２に接続される通信部３１，カードＲ／Ｗ３３，及びシャッタ３４を有する端末である。通信部３１は、前述の如く、中継装置１０との間における通信を司るものである。制御部３２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、カード受付装置３０に備えられる各構成要素の動作を制御して各種の処理を行うものであり、その処理については図３〜図１４を参照して後述する。
【００４５】
カードＲ／Ｗ３３は、カード挿入口（図示外）からカード（会員カード２又はビジタカード３）の挿入を受け付けて、該挿入されたカードの記録情報を読み取るものである。シャッタ３４は、カード挿入口に設けられ、制御部３２の制御により閉鎖（即ちカードの受付を禁止）及び開放（即ちカードの受付を許容）される。
【００４６】
貯玉サーバ５０は、制御部５２に接続される通信部５１，及び貯玉ＤＢ５３を有するコンピュータである。通信部５１は、景品交換装置４０の後述する貯玉サーバ通信部４１ａと通信可能に接続されており、貯玉サーバ５０と景品交換装置４０との間における通信を司るものである。制御部５２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、貯玉サーバ５０に備えられる各構成要素の動作を制御して各種の処理を行うものである。
【００４７】
貯玉ＤＢ５３は、図２（ｂ）に示すように、会員用記録媒体である会員カード２（ここでは前記過去貯蓄数特定情報である会員ＩＤ）に対応付けて、会員遊技者が獲得した遊技媒体数が当日及び翌日以降も使用可能に貯蓄されたた過去貯蓄数である貯玉数を記憶するものである。
【００４８】
そして貯玉ＤＢ５３は、複数の種別（ここではエリア１〜エリア４の４種別）の会員用の持玉数，及びビジタ用の持玉数を記憶しており、ここではエリア１で、貸与単価及び交換単価（以下、「単価」と略称する、）が１円であるパチンコ玉の持玉数を記憶し、エリア２で、単価が４円であるパチンコ玉の持玉数を記憶し、エリア３で、単価が５円であるメダルの持玉数を記憶し、エリア４で、単価が２０円であるメダルの持玉数を記憶している。
【００４９】
なお持玉サーバ２０において、図２（ａ）に示す会員用の持玉数ＤＢ２３で記憶されている会員ＩＤ及び４エリアの持玉数は、当日の営業終了後に、図示しない回線を介して、貯玉サーバ５０に対して送信され、該貯玉サーバ５０において、当該会員ＩＤに対応付けて貯玉ＤＢ５３で記憶している４エリアの貯玉数に当該４エリアの持玉数が各々加算されて、翌日以降も使用可能となる。
【００５０】
景品交換装置４０は、貯玉サーバ５０と通信可能であり、会員カード２を受け付け、該受け付けた会員カード２に対応する会員用の持玉数，貯玉数，カード受付装置３０により受け付けたビジタカード３に対応するビジタ用の持玉数を使用した景品交換処理を行うものである。この景品交換装置４０は、制御部４２に接続される貯玉サーバ通信部４１ａ，中継装置通信部４１ｂ，ディスプレイ４３，入力装置４４，バーコードリーダ４５，タッチパネル式ディスプレイ４６，及びカードＲ／Ｗ４７を有する端末である。
【００５１】
貯玉サーバ通信部４１ａは、前述の如く、貯玉サーバ５０との間における通信を司るものである。中継装置通信部４１ｂは、前述の如く、中継装置１０との間における通信を司るものである。制御部４２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、景品交換装置４０に備えられる各構成要素の動作を制御して各種の処理を行うものであり、その処理については図３〜図１４を参照して後述する。
【００５２】
ディスプレイ４３は各種の情報を表示するものであり、入力装置４４は各種の情報の入力を受け付けるものであり、バーコードリーダ４５は景品に付されたバーコードを読み取るものであり、これらは遊技場の店員が操作するものである。タッチパネル式ディスプレイ４６は各種の情報を表示すると共に、各種の情報の入力を受け付けるものであり、遊技者が操作するものである。カードＲ／Ｗ４７は、カード挿入口（図示外）から会員カード２の挿入を受け付けて、該挿入された会員カードの記録情報を読み取るものである。
【００５３】
この景品交換装置４０において、中継装置１０から受信した持玉数通知に含まれる４エリアの持玉数を制御部４２のＲＡＭで記憶している状態で行われる景品交換処理について説明する。まず制御部４２は、該記憶している４エリアの持玉数をタッチパネル式ディスプレイ４６に表示する。次に遊技場の店員が、交換する景品のバーコードをバーコードリーダ４５で読み取ると、制御部４２は、該読み取ったバーコードから特定される交換玉数をディスプレイ４３及びタッチパネル式ディスプレイ４６に表示する。次に遊技者が、前記表示されている４エリアの持玉数のうちの景品交換に使用する１又は２以上のエリアの持玉数をタッチパネル式ディスプレイ４６で選択すると、制御部４２は、前記記憶している持玉数のうちの該選択されたエリアの持玉数から前記交換玉数を減算して、景品交換処理を終了する。そして景品交換処理が終了した景品交換装置４０において、制御部４２は、該減算後の４エリアの持玉数である処理後持玉数を含む（即ち減算したエリアの持玉数と減算しなかったエリアの持玉数とを含む）処理結果通知を中継装置通信部４１ｂから中継装置１０に対して送信する。
【００５４】
なお景品交換装置４０においては、貯玉サーバ５０から取得した４エリアの貯玉数を使用して、上記持玉数を使用したのと同様の景品交換処理も行われる。
【００５５】
次に、図３〜図１４を参照して、景品交換システム１の作用について説明する。なお各図に示す各処理は、Ｓａ〜Ｓｌのステップ符号と、ステップ番号とからなり、同種の処理には極力同一のステップ番号を付してあるので、当該同種の処理については説明を省略する場合がある。
【００５６】
図３は、稼働開始時における景品交換システム１の作用の一例を表すフローチャートである。まず持玉サーバ２０，カード受付装置３０，中継装置１０，及び景品交換装置４０の電源が投入されて、それらの初期化が終了している状態では、景品交換装置４０が、Ｓａ００で、接続確認要求を中継装置１０に対して送信しているが、該中継装置１０は、カード受付装置３０及び持玉サーバ２０との通信が確立されるまでは、該接続確認要求の受信を無視して、景品交換装置４０との通信は行わない。
【００５７】
この初期化終了状態で、中継装置１０は、Ｓａ０１で、稼働開始操作を受け付けると、Ｓａ１１で、カード受付装置３０との間で所定の情報を送受することによる通信確立処理を行い、Ｓａ１２で、カード受付装置３０との通信が確立したか否かを判定する。このＳａ１２でカード受付装置３０との通信が確立しなかった（ＮＯ）、即ち通信確立前にタイムアップしたと判定した場合には、所定のエラー処理（例えばエラー画面をディスプレイ１３に表示する）を行って、景品交換システム１の運用を不可とする。
【００５８】
一方、Ｓａ１２でカード受付装置３０との通信が確立した（ＹＥＳ）と判定した場合には、Ｓａ１３で、カード受付禁止要求をカード受付装置３０に対して送信し、該カード受付禁止要求を受信したカード受付装置３０は、Ｓａ１４で、カード受付不可通知を中継装置１０に対して返信すると共に、Ｓａ１５で、シャッタ３４を閉鎖することにより、カード（会員カード２又はビジタカード３）の受付を禁止する。
【００５９】
またＳａ１２でカード受付装置３０との通信が確立した（ＹＥＳ）と判定した場合には、Ｓａ２１で、持玉サーバ２０との間で所定の情報を送受することによる通信確立処理を行い、Ｓａ２２で、持玉サーバ２０との通信が確立したか否かを判定する。このＳａ２２で持玉サーバ２０との通信が確立した（ＹＥＳ）と判定した場合には、Ｓａ３０で、前記接続確認要求を景品交換装置４０から受信したことに基づいて、Ｓａ３１で、景品交換装置４０との間で所定の情報を送受することによる通信確立処理を行う。これによれば、持玉サーバ２０及びカード受付装置３０との通信が確立されていることを条件として景品交換装置４０との通信が行われるので、景品交換に際して持玉数を含む情報のやり取りができる状況であることを担保できる。
【００６０】
一方、Ｓａ３２で持玉サーバ２０との通信が確立しなかった（ＮＯ）、即ち通信確立前にタイムアップしたと判定した場合にも、後述する図１１に示す処理を可能とするために、Ｓａ３０の接続確認要求の受信に基づいて、Ｓａ３１の通信確立処理を行う。
【００６１】
Ｓａ３１の通信確立処理を行った後、Ｓａ３２で、カード受付許諾要求をカード受付装置３０に対して送信し、該カード受付許諾要求を受信したカード受付装置３０は、Ｓａ３３で、カード受付待機通知を中継装置１０に対して返信すると共に、Ｓａ３４で、シャッタ３４を開放することにより、カード（会員カード２又はビジタカード３）の受付を許容する。
【００６２】
そしてカード受付待機通知を受信した中継装置１０は、Ｓａ４１で、持玉サーバ２０との通信が確立しているか否かを判定し、通信が確立していなければ（ＮＯ）、後述する図９〜図１１に示す第１オフライン状態に移行し、通信が確立していれば（ＹＥＳ）、Ｓａ４２で、景品交換装置４０との通信が確立しているか否かを判定し、通信が確立していなければ（ＮＯ）、後述する図１２〜図１４に示す第２オフライン状態に移行し、通信が確立していれば（ＹＥＳ）、後述する図４〜図８に示す通常状態に移行する。ここでＳａ４２の処理を行う制御部１２は、景品交換装置４０と通信できる通信可能状態（オンライン）であるか通信できない通信不能状態（オフライン）であるかを判定する通信可否判定手段として機能するものである。
【００６３】
図４は、通常状態で景品交換装置が会員カードを受け付けた場合における景品交換システムの作用の一例を表すフローチャートである。まず景品交換装置４０は、Ｓｂ０１で、会員カード２の挿入をカードＲ／Ｗ４７で受け付けると、該会員カード２の記録情報（会員カードＩＤ及び会員ＩＤ）を読み取り、Ｓｂ０２で、該読み取った会員カードＩＤを含む会員カード挿入通知を中継装置１０に対して送信する。
【００６４】
該会員カード挿入通知を受信した中継装置１０は、Ｓｂ０３で、カード受付禁止要求をカード受付装置３０に対して送信し、該カード受付禁止要求を受信したカード受付装置３０は、Ｓｂ０４で、カード受付不可通知を中継装置１０に対して返信すると共に、Ｓｂ０５で、シャッタ３４を閉鎖することにより、カード（会員カード２又はビジタカード３）の受付を禁止する。このＳｂ０３の処理を行う制御部１２は、会員カード２を受け付けた景品交換装置４０から当該会員カード２の会員カードＩＤを受信したことに基づいて、カード受付装置３０におけるビジタカード３の受付を禁止するための受付禁止処理を行うビジタ用記録媒体受付可否制御手段として機能するものである。
【００６５】
また前記会員カード挿入通知を受信した中継装置１０は、Ｓｂ１１で、該受信した会員カード挿入通知に含まれる会員カードＩＤを含むカード挿入通知を持玉サーバ２０に対して送信し、該カード挿入通知を受信した持玉サーバ２０は、Ｓｂ１２で、該受信したカード挿入通知に含まれる会員カードＩＤに対応付けて持玉ＤＢ２３で記憶している４エリアの持玉数を抽出し、Ｓｂ１３で、該抽出した４エリアの持玉数を含むカード挿入結果を中継装置１０に対して送信し、該カード挿入結果を受信した中継装置１０は、Ｓｂ１４で、該受信したカード挿入結果に含まれる４エリアの持玉数を記憶して、Ｓｂ２１で、該記憶した４エリアの持玉数である記憶持玉数を含む持玉数通知を景品交換装置４０に対して送信する。このＳｂ１１，及びＳｂ２１の処理を行う制御部１２は、会員カード２を受け付けた景品交換装置４０から当該会員カード２の会員カードＩＤを受信したことに基づいて、当該会員カードＩＤに対応付けて持玉サーバ２０で記憶している持玉数を取得する会員当日貯蓄数取得処理と、該取得した持玉数を景品交換処理に使用させるために景品交換装置４０に対して送信する会員当日貯蓄数送信処理とを行う会員当日貯蓄数処理手段として機能するものである。
【００６６】
また前記カード挿入結果を受信した中継装置１０は、Ｓｂ１５で、該カード挿入結果を受信した旨を示すカード挿入レスポンスを持玉サーバ２０に対して送信し、該カード挿入レスポンスを受信した持玉サーバ２０は、Ｓｂ１６で、前記Ｓｂ１２で抽出した４エリアの持玉数を零にする。このＳｂ１５の処理を行う制御部１２は、前記会員当日貯蓄数送信処理（Ｓｂ２１）に伴って、景品交換装置４０で受け付けた会員カード２に基づく持玉数（即ち持玉サーバ２０で記憶している持玉数）を零にするための会員当日貯蓄数零処理を行うものである。
【００６７】
前記持玉数通知を受信した景品交換装置４０は、該持玉数通知に含まれる４エリアの持玉数を記憶して、Ｓｂ２２で、該持玉数通知を受信した旨を示す持玉数応答を中継装置１０に対して返信し、Ｓｂ３１で、前記景品交換処理を行って、Ｓｂ３２で、前記処理後持玉数（即ち減算後の４エリアの持玉数）を含む処理結果通知を中継装置１０に対して送信する。
【００６８】
該処理結果通知を受信した中継装置１０は、Ｓｂ３３で、前記記憶持玉数（即ちＳｂ１４で記憶した４エリアの持玉数）が該処理結果通知に含まれる処理後持玉数（即ち減算後の４エリアの持玉数）以上であるか否かを、各エリア毎に判定する。このＳｂ３３の処理を行う制御部１２は、前記会員当日貯蓄数取得処理で取得した持玉数と景品交換装置４０から受信した減算後の持玉数とが正常な関係（ここでは記憶持玉数≧処理後持玉数）であるか否かを判定する会員当日貯蓄数判定手段として機能するものである。
【００６９】
このＳｂ３３で４エリアの持玉数の少なくともいずれかについて記憶持玉数が処理後持玉数未満である（ＮＯ）と判定した場合には、Ｓｂ３４で、所定のエラー処理（例えばエラー画面をディスプレイ１３に表示する，エラーダウンする，及び／又はエラー内容をプリンタ１５で印刷して出力する）を行う。このＳｂ３４の処理を行う制御部１２は、前記会員当日貯蓄数判定手段（Ｓｂ３３）により正常な関係でないと判定されたことに基づいて、所定の異常処理を行う異常処理手段として機能するものである。これによれば、異常な持玉数（例えば景品交換処理が行われて減算されているはずなのに増加している持玉数）の発生を検知できる。
【００７０】
一方、Ｓｂ３３で４エリアの持玉数のすべてについて記憶持玉数が処理後持玉数以上である（ＹＥＳ）と判定した場合には、Ｓｂ４１で、該処理後持玉数（即ち減算後の４エリアの持玉数）を含むカード排出通知を持玉サーバ２０に対して送信し、該カード排出通知を受信した持玉サーバ２０は、Ｓｂ４２で、前記Ｓｂ１６で零にした４エリアの持玉数を該受信したカード排出通知に含まれる４エリアの持玉数に更新して、Ｓｂ４３で、該更新を行った旨を示す更新通知を中継装置１０に対して送信する。このＳｂ４１の処理を行う制御部１２は、景品交換処理を行って持玉数を減算した景品交換装置４０から当該減算後の持玉数を受信したことに基づいて、会員カード２に基づく持玉数（即ち持玉サーバ２０で記憶している持玉数）を当該減算後の持玉数に更新するための会員当日貯蓄数更新処理を行う会員当日貯蓄数処理手段として機能するものである。
【００７１】
これによれば、持玉サーバ２０から取得した持玉数を景品交換装置４０に送信する際（Ｓｂ２１）に、会員カード２に基づく持玉数を一旦零にする処理を行うことにより、該持玉数を景品交換装置４０の管理下に置き、景品交換装置４０から減算後の持玉数を受信すると、会員カード２に基づく持玉数を該減算後の持玉数に更新する処理を行うことにより、該持玉数を再び持玉サーバ２０の管理下に置くので、該持玉数を含む情報の確実なやり取りが担保できる。つまり、持玉サーバ２０に持玉数が残っている状態で、通信異常等が生ずると、該残っている持玉数に前記減算後の持玉数がさらに加算されて、持玉数が二重に計上されるおそれがあるところ、本発明では、持玉サーバ２０に持玉数が残っていないので、かかる問題が生じない。
【００７２】
また持玉サーバ２０で記憶している複数の種別（４エリア）の持玉数が全て景品交換装置４０に送信されて零にされるので、複数の種別の持玉数の、一部が持玉サーバ２０の管理下にあり、一部が景品交換装置４０の管理下にあるという状況を防止できる。
【００７３】
そして本例では、中継装置１０，持玉サーバ２０，及びカード受付装置３０を製造・販売するＸ社が、該持玉数を含む情報の確実なやり取りに対応しているので、景品交換装置４０，及び貯玉サーバ５０を製造・販売するＹ社は、景品交換システム１に接続しやすい。
【００７４】
前記更新通知を受信した中継装置１０は、Ｓｂ４４で、前記Ｓｂ１４で記憶した４エリアの持玉数を消去して、Ｓｂ４５で、処理結果応答を景品交換装置４０に対して送信し、またＳｂ４７で、カード排出レスポンスを持玉サーバ２０に対して送信する。前記処理結果応答を受信した景品交換装置４０は、Ｓｂ４６で、受付中の会員カード２を排出する。
【００７５】
また前記更新通知を受信した中継装置１０は、Ｓｂ４８で、カード受付許諾要求をカード受付装置３０に対して送信し、該カード受付許諾要求を受信したカード受付装置３０は、Ｓｂ４９で、カード受付待機通知を中継装置１０に対して返信すると共に、Ｓｂ５０で、シャッタ３４を開放することにより、カード（会員カード２又はビジタカード３）の受付を許容する。このＳｂ４８の処理を行う制御部１２は、景品交換処理を行った景品交換装置４０から当該景品交換処理の終了を示す景品交換終了通知（Ｓｂ３２の処理結果通知）を受信したことに基づいて、カード受付装置３０によるビジタカード３の受付を許容するための受付許容処理を行うビジタ用記録媒体受付可否制御手段として機能するものである。
【００７６】
これによれば、景品交換装置４０で会員カード２を受け付けてから景品交換処理が終了するまでは、カード受付装置３０でのビジタカード３の受付が禁止されることにより、会員カード２に基づく持玉数とビジタカード３に基づく持玉数とが同時進行で更新されることが無く、該持玉数を含む情報の確実なやり取りが担保できる。
【００７７】
なお、以上に説明した図４において、Ｓｂ１１，Ｓｂ２１，及びＳｂ４１の処理を行う制御部１２は、通信可否判定手段により景品交換装置４０と通信可能状態（オンライン）と判定している状態で、会員カード２を受け付けた景品交換装置４０から当該会員カード２の会員カードＩＤを受信したことに基づいて、当該会員カードＩＤに対応付けて持玉サーバ２０で記憶している持玉数を取得する貯蓄数取得処理と、該取得した持玉数を景品交換処理に使用させるために景品交換装置４０に対して送信する処理とを行うと共に、景品交換装置４０から減算後の持玉数を受信したことに基づいて、会員カード２に基づく持玉数を当該減算後の持玉数に更新するための処理を行う通信可能時処理手段として機能するものである。
【００７８】
図５は、通常状態でカード受付装置３０が会員カード２を受け付けた場合における景品交換システム１の作用の一例を表すフローチャートである。まずカード受付装置３０は、Ｓｃ０１で、会員カード２の挿入をカードＲ／Ｗ３３で受け付けると、該会員カード２の記録情報（会員カードＩＤ）を読み取り、Ｓｃ０２で、該読み取った会員カードＩＤを含むカード情報通知を中継装置１０に対して送信する。
【００７９】
該カード情報通知を受信した中継装置１０は、Ｓｃ０３で、該カード情報通知に含まれるのがビジタカードＩＤであるか否かを判定し、ここでは判定結果がＮＯなので、Ｓｃ１１で、前記受信したカード情報通知に含まれる会員カードＩＤを含むカード挿入通知を持玉サーバ２０に対して送信し、該カード挿入通知を受信した持玉サーバ２０は、Ｓｃ１２で、該受信したカード挿入通知に含まれる会員カードＩＤに対応付けて持玉ＤＢ２３で記憶している４エリアの持玉数を抽出し、Ｓｃ１３で、該抽出した４エリアの持玉数を含むカード挿入結果を中継装置１０に対して送信し、該カード挿入結果を受信した中継装置１０は、Ｓｃ１４で、該受信したカード挿入結果に含まれる４エリアの持玉数を記憶する。
【００８０】
また前記カード挿入結果を受信した中継装置１０は、図４のＳｂ１５と同様に、Ｓｃ１５で、該カード挿入結果を受信した旨を示すカード挿入レスポンスを持玉サーバ２０に対して送信し、該カード挿入レスポンスを受信した持玉サーバ２０は、Ｓｃ１６で、前記Ｓｃ１２で抽出した４エリアの持玉数を零にする。しかしながら、図４のＳｂ２１と同様の処理は行わずに、Ｓｃ２１で、カード受付装置３０に会員カード２が挿入された旨のエラー表示をディスプレイ１３に表示する。
【００８１】
そしてＳｃ２２で、確認ボタン（図示外）の操作を受け付けると、Ｓｃ４１で、前記Ｓｃ１４で記憶した４エリアの持玉数を含むカード排出通知を持玉サーバ２０に対して送信し、該カード排出通知を受信した持玉サーバ２０は、Ｓｃ４２で、前記Ｓｃ１６で零にした４エリアの持玉数を該受信したカード排出通知に含まれる４エリアの持玉数に更新して、Ｓｃ４３で、該更新を行った旨を示す更新通知を中継装置１０に対して送信する。
【００８２】
該更新通知を受信した中継装置１０は、Ｓｃ４４で、前記Ｓｃ１４で記憶した４エリアの持玉数を消去して、図４のＳｂ４５と同様の処理は行わずに、Ｓｃ４７で、カード排出レスポンスを持玉サーバ２０に対して送信する。またＳｃ５１で、排出許可通知をカード受付装置３０に対して送信し、該排出許可通知を受信したカード受付装置３０は、Ｓｃ５２で、受付中の会員カード２を排出して、Ｓｃ５３で、排出完了通知を中継装置１０に対して送信する。
【００８３】
つまり、中継装置１０と持玉サーバ２０，及び中継装置１０と景品交換装置４０とが通信可能な通常状態においては、会員カード２は、図５に示すようにカード受付装置３０では受け付けられず、図４に示すように景品交換装置４０で受け付けられる。なお中継装置１０と景品交換装置４０とが通信不能な第２オフライン状態においては、会員カード２は、図１２に示すように景品交換装置４０では受け付けられず、図１３に示すようにカード受付装置３０で受け付けられるが、これについては後述する。
【００８４】
図６は、通常状態でカード受付装置３０がビジタカード３を受け付けた場合における景品交換システム１の作用の一例を表すフローチャートである。まずカード受付装置３０は、Ｓｄ０１で、ビジタカード３の挿入をカードＲ／Ｗ３３で受け付けると、該ビジタカード３の記録情報（ビジタカードＩＤ，持玉数）を読み取り、Ｓｄ０２で、該読み取ったビジタカードＩＤと持玉数を含むカード情報通知を中継装置１０に対して送信する。
【００８５】
該カード情報通知を受信した中継装置１０は、Ｓｄ０３で、該カード情報通知に含まれるのがビジタカードＩＤであるか否かを判定し、ここでは判定結果がＹＥＳなので、Ｓｄ１１で、前記受信したカード情報通知に含まれるビジタカードＩＤを含むカード挿入通知を持玉サーバ２０に対して送信し、該カード挿入通知を受信した持玉サーバ２０は、Ｓｄ１２で、該受信したカード挿入通知に含まれるビジタカードＩＤに対応付けて持玉ＤＢ２３で記憶している４エリアの持玉数を抽出し、Ｓｄ１３で、該抽出した４エリアの持玉数を含むカード挿入結果を中継装置１０に対して送信する。
【００８６】
該カード挿入結果を受信した中継装置１０は、該受信したカード挿入結果に含まれる４エリアの持玉数（即ち持玉サーバ２０で記憶している記憶持玉数）と、前記Ｓｄ０２のカード情報通知に含まれる４エリアの持玉数（即ちビジタカード３が記録している記録持玉数）とを比較して、比較結果が両者一致であれば、Ｓｄ１４で、該一致した４エリアの持玉数を記憶する。また比較結果が記憶持玉数＞記録持玉数であれば、Ｓｄ１４で、該記録持玉数を記憶する。図１１に示すように、中継装置１０と持玉サーバ２０とが通信不能な第１オフライン状態でカード受付装置３０がビジタカード３を受け付けて景品交換処理が行われた場合には、持玉サーバ２０には減算後の持玉数が記憶されないが、ビジタカード３には減算後の持玉数が記録されて、記憶持玉数＞記録持玉数となるからである。なお比較結果が記憶持玉数＜記録持玉数であれば、Ｓｃ１４の処理を行わずにエラー処理を行う。記録持玉数が不正に書き換えられなければ、このような状況は生じないからである。
【００８７】
また前記カード挿入結果を受信した中継装置１０は、Ｓｄ２１で、前記Ｓｄ１４で記憶した４エリアの持玉数である記憶持玉数を含む持玉数通知を景品交換装置４０に対して送信する。ここで前記Ｓｄ１１，及びこのＳｄ２１の処理を行う制御部１２は、ビジタカード３を受け付けたカード受付装置３０からビジタカードＩＤを受信したことに基づいて、当該ビジタカードＩＤに対応付けて持玉サーバ２０で記憶している持玉数を取得するビジタ当日貯蓄数取得処理と、該取得した持玉数を景品交換処理に使用させるために景品交換装置４０に対して送信するビジタ当日貯蓄数送信処理とを行うビジタ当日貯蓄数処理手段として機能するものである。
【００８８】
また前記カード挿入結果を受信した中継装置１０は、Ｓｄ１５で、該カード挿入結果を受信した旨を示すカード挿入レスポンスを持玉サーバ２０に対して送信し、該カード挿入レスポンスを受信した持玉サーバ２０は、Ｓｄ１６で、前記Ｓｄ１２で抽出した４エリアの持玉数を零にする。さらに前記カード挿入結果を受信した中継装置１０は、Ｓｄ２３で、持玉数零を含む記録更新要求をカード受付装置３０に対して送信し、該記録更新要求を受信したカード受付装置３０は、Ｓｄ２４で、受付中のビジタカード３が記録している持玉数を該受信した記録更新要求に含まれる持玉数（即ち零）に更新して、Ｓｄ２５で、記録更新通知を中継装置１０に対して送信する。このＳｄ１５，及びＳｄ２３の処理を行う制御部１２は、前記ビジタ当日貯蓄数送信処理（Ｓｄ２１）に伴って、カード受付装置３０で受け付けたビジタカード３に基づく持玉数（即ち持玉サーバ２０で記憶している持玉数，及びビジタカード３が記録している持玉数）を零にするためのビジタ当日貯蓄数零処理を行うものである。
【００８９】
前記持玉数通知を受信した景品交換装置４０は、該持玉数通知に含まれる４エリアの持玉数を記憶して、Ｓｄ２２で、該持玉数通知を受信した旨を示す持玉数応答を中継装置１０に対して返信し、Ｓｄ３１で、前記景品交換処理を行って、Ｓｄ３２で、前記処理後持玉数（即ち減算後の４エリアの持玉数）を含む処理結果通知を中継装置１０に対して送信する。
【００９０】
該処理結果通知を受信した中継装置１０は、Ｓｄ３３で、前記記憶持玉数（即ちＳｄ１４で記憶した４エリアの持玉数）が該処理結果通知に含まれる処理後持玉数（即ち減算後の４エリアの持玉数）以上であるか否かを、各エリア毎に判定する。このＳｄ３３の処理を行う制御部１２は、前記ビジタ当日貯蓄数取得処理で取得した持玉数と景品交換装置４０から受信した減算後の持玉数とが正常な関係（ここでは記憶持玉数≧処理後持玉数）であるか否かを判定するビジタ当日貯蓄数判定手段として機能するものである。
【００９１】
このＳｄ３３で４エリアの持玉数の少なくともいずれかについて記憶持玉数が処理後持玉数未満である（ＮＯ）と判定した場合には、Ｓｄ３４で、所定のエラー処理（例えばエラー画面をディスプレイ１３に表示する，エラーダウンする，及び／又はエラー内容をプリンタ１５で印刷して出力する）を行う。このＳｄ３４の処理を行う制御部１２は、前記ビジタ当日貯蓄数判定手段（Ｓｄ３３）により正常な関係でないと判定されたことに基づいて、所定の異常処理を行う異常処理手段として機能するものである。これによれば、異常な持玉数（例えば景品交換処理が行われて減算されているはずなのに増加している持玉数）の発生を検知できる。
【００９２】
一方、Ｓｄ３３で４エリアの持玉数のすべてについて記憶持玉数が処理後持玉数以上である（ＹＥＳ）と判定した場合には、Ｓｄ４１で、該処理後持玉数（即ち減算後の４エリアの持玉数）を含むカード排出通知を持玉サーバ２０に対して送信し、該カード排出通知を受信した持玉サーバ２０は、Ｓｄ４２で、前記Ｓｄ１６で零にした４エリアの持玉数を該受信したカード排出通知に含まれる４エリアの持玉数に更新して、Ｓｄ４３で、該更新を行った旨を示す更新通知を中継装置１０に対して送信する。
【００９３】
前記更新通知を受信した中継装置１０は、Ｓｄ４４で、前記Ｓｄ１４で記憶した４エリアの持玉数を消去して、Ｓｄ４５で、処理結果応答を景品交換装置４０に対して送信し、またＳｄ４７で、カード排出レスポンスを持玉サーバ２０に対して送信する。
【００９４】
また前記更新通知を受信した中継装置１０は、Ｓｄ４８で、前記受信した処理結果通知に含まれる処理後持玉数を含む記録更新要求をカード受付装置３０に対して送信し、該記録更新要求を受信したカード受付装置３０は、Ｓｄ４９で、受付中のビジタカード３が記録している持玉数（ここでは零）を該受信した記録更新要求に含まれる処理後持玉数に更新して、Ｓｄ５０で、記録更新通知を中継装置１０に対して送信し、該記録更新通知を受信した中継装置１０は、Ｓｄ５１で、排出許可通知をカード受付装置３０に対して送信し、該排出許可通知を受信したカード受付装置３０は、Ｓｄ５２で、受付中のビジタカード３を排出して、Ｓｄ５３で、排出完了通知を中継装置１０に対して送信する。
【００９５】
ここで前記Ｓｄ４１，及びこのＳｄ４８の処理を行う制御部１２は、景品交換処理を行って持玉数を減算した景品交換装置４０から当該減算後の持玉数を受信したことに基づいて、ビジタカード３に基づく持玉数（即ち持玉サーバ２０で記憶している持玉数，及びビジタカード３が記録している持玉数）を当該減算後の持玉数に更新するためのビジタ当日貯蓄数更新処理を行うビジタ当日貯蓄数処理手段として機能するものである。
【００９６】
これによれば、持玉サーバ２０から取得した持玉数を景品交換装置４０に送信する際（Ｓｄ２１）に、ビジタカード３に基づく持玉数を一旦零にする処理を行うことにより、該持玉数を景品交換装置４０の管理下に置き、景品交換装置４０から減算後の持玉数を受信すると、ビジタカード３に基づく持玉数を該減算後の持玉数に更新する処理を行うことにより、該持玉数を再び持玉サーバ２０の管理下に置くので、該持玉数を含む情報の確実なやり取りが担保できる。つまり、持玉サーバ２０に持玉数が残っている状態で、通信異常等が生ずると、該残っている持玉数に前記減算後の持玉数がさらに加算されて、持玉数が二重に計上されるおそれがあるところ、本発明では、持玉サーバ２０に持玉数が残っていないので、かかる問題が生じない。
【００９７】
また持玉サーバ２０で記憶している複数の種別（４エリア）の持玉数が全て景品交換装置４０に送信されて零にされるので、複数の種別の持玉数の、一部が持玉サーバ２０の管理下にあり、一部が景品交換装置４０の管理下にあるという状況を防止できる。
【００９８】
そして本例では、中継装置１０，持玉サーバ２０，及びカード受付装置３０を製造・販売するＸ社が、該持玉数を含む情報の確実なやり取りに対応しているので、景品交換装置４０，及び貯玉サーバ５０を製造・販売するＹ社は、景品交換システム１に接続しやすい。
【００９９】
なお、以上に説明した図６において、Ｓｄ１１，Ｓｄ２１，及びＳｄ４１の処理を行う制御部１２は、通信可否判定手段により景品交換装置４０と通信可能状態（オンライン）と判定している状態でカード受付装置３０によりビジタカード３を受け付けたことに基づいて、該受け付けたビジタカード３のビジタカードＩＤから持玉数を特定する貯蓄数特定処理と、該特定した持玉数を景品交換処理に使用させるために景品交換装置４０に対して送信する貯蓄数送信処理を行うと共に、景品交換処理を行って持玉数を減算した景品交換装置４０から当該減算後の貯蓄数を受信したことに基づいて、前記特定した持玉数を当該減算後の持玉数に更新するための通信可能時貯蓄数更新処理を行う通信可能時処理手段として機能するものである。
【０１００】
次に図７は、通常状態でビジタカード３と会員カード２とが受け付けられて持玉が貯玉される場合における景品交換システム１の作用の一例を表すフローチャートである。簡潔に述べると、カード受付装置３０がビジタカード３を受け付け、中継装置１０が前記ビジタ当日貯蓄数送信処理（Ｓｅ２１）を行った後に、景品交換装置４０が会員カード２を受け付けると、貯玉処理（Ｓｅ３１）が行われる。
【０１０１】
具体的に、カード受付装置３０は、Ｓｅ０１で、ビジタカード３の挿入をカードＲ／Ｗ３３で受け付けると、該ビジタカード３の記録情報（ビジタカードＩＤ，持玉数）を読み取り、中継装置１０，持玉サーバ２０，カード受付装置３０，及び景品交換装置４０は、図６のＳｄ０２〜Ｓｄ２５と同様の、Ｓｅ０２〜Ｓｅ２５の処理を行い、特に中継装置１０は、Ｓｅ２１で、Ｓｅ１４で記憶した４エリアの持玉数である記憶持玉数を含む持玉数通知を景品交換装置４０に対して送信する。
【０１０２】
該持玉数通知を受信した景品交換装置４０は、該持玉数通知に含まれる４エリアの持玉数を記憶して、Ｓｅ２２で、該持玉数通知を受信した旨を示す持玉数応答を中継装置１０に対して返信し、Ｓｅ３０で、会員カード２の挿入をカードＲ／Ｗ４７で受け付けると、該会員カード２の記録情報（会員ＩＤ）を読み取り、Ｓｅ３１で、貯玉処理を行う。この貯玉処理において、まず制御部４２は、前記記憶している４エリアの持玉数をタッチパネル式ディスプレイ４６に表示する。次に遊技者が、該表示されている４エリアの持玉数のうちの貯玉する１又は２以上のエリアの持玉数（即ちエリア及び玉数）をタッチパネル式ディスプレイ４６で指定すると、制御部４２は、前記記憶している持玉数のうちの該選択されたエリアの持玉数から前記貯玉する玉数を減算し、前記読み取った会員ＩＤと該減算した玉数（即ち貯玉する玉数）とを含む貯玉要求を貯玉サーバ５０に対して送信する。該貯玉要求を受信した貯玉サーバ５０は、該受信した貯玉要求に含まれる会員ＩＤに対応付けて貯玉ＤＢ５３で記憶している貯玉数に該受信した貯玉要求に含まれる玉数を加算して、貯玉完了通知を景品交換装置４０に対して送信する。該貯玉完了通知を受信した景品交換装置４０は、貯玉処理を終了する。そして貯玉処理が終了した景品交換装置４０において、制御部４２は、Ｓｅ３２で、前記減算後の４エリアの持玉数である処理後持玉数を含む（即ち減算したエリアの持玉数と減算しなかったエリアの持玉数とを含む）処理結果通知を中継装置通信部４１ｂから中継装置１０に対して送信する。
【０１０３】
その後、中継装置１０，持玉サーバ２０，カード受付装置３０，及び景品交換装置４０は、図６のＳｄ３３〜Ｓｄ５３と同様の、Ｓｅ３３〜Ｓｅ５３の処理を行う。なおＳｅ３１の貯玉処理で、あるエリアの持玉数の全てが貯玉される場合には、Ｓｅ４２やＳｅ４９において更新される当該エリアの持玉数は、Ｓｅ１６で更新された零のままとなる。
【０１０４】
次に図８は、通常状態でビジタカード３と会員カード２とが受け付けられて該ビジタカード３が排出される場合における景品交換システム１の作用の一例を表すフローチャートである。簡潔に述べると、カード受付装置３０がビジタカード３を受け付け、中継装置１０が前記ビジタ当日貯蓄数送信処理を行う前に、景品交換装置４０が会員カード２を受け付けると、ビジタカード３が排出され、会員カード２の持玉数を使用した景品交換処理（Ｓｆ３１）が行われる。
【０１０５】
具体的に、まずカード受付装置３０は、Ｓｆ０１で、ビジタカード３の挿入をカードＲ／Ｗ３３で受け付けると、該ビジタカード３の記録情報（ビジタカードＩＤ，持玉数）を読み取り、Ｓｆ０２で、該読み取ったビジタカードＩＤと持玉数を含むカード情報通知を中継装置１０に対して送信する。
【０１０６】
該カード情報通知を受信した中継装置１０は、Ｓｆ０３で、該カード情報通知に含まれるのがビジタカードＩＤであるか否かを判定し、ここでは判定結果がＹＥＳであるが、前記図６のＳｄ２１に示すビジタ当日貯蓄数送信処理を行う前（本例では前記図６のＳｄ１１に示すビジタ当日貯蓄数取得処理を行う前）に、Ｓｆ０１’で会員カード２の挿入を受け付けた景品交換装置４０から、該会員カード２の会員カードＩＤを含むＳｆ０２’の会員カード挿入通知を受信すると、Ｓｆ０４で、排出許可通知をカード受付装置３０に対して送信し、該排出許可通知を受信したカード受付装置３０は、Ｓｆ０５で、受付中のビジタカード３を排出して、Ｓｆ０６で、排出完了通知を中継装置１０に対して送信し、該排出完了通知を受信した中継装置１０は、Ｓｆ０７で、カード受付禁止要求をカード受付装置３０に対して送信し、該カード受付禁止要求を受信したカード受付装置３０は、Ｓｆ０８で、カード受付不可通知を中継装置１０に対して返信すると共に、Ｓｆ０９で、シャッタ３４を閉鎖することにより、カード（会員カード２又はビジタカード３）の受付を禁止する。
【０１０７】
その後、中継装置１０，持玉サーバ２０，カード受付装置３０，及び景品交換装置４０は、図４のＳｂ１１〜Ｓｂ５０と同様の、Ｓｆ１１〜Ｓｆ５０の処理を行い、会員カード２の持玉数を使用した景品交換処理（Ｓｆ３１）が行われる。
【０１０８】
ここで前記Ｓｆ０４の処理を行う制御部１２は、ビジタカード３を受け付けたカード受付装置３０から当該ビジタカード３のビジタカードＩＤを受信した後、前記ビジタ当日貯蓄数処理手段により前記ビジタ当日貯蓄数送信処理（図６のＳｄ２１）を行う前に、会員カード２を受け付けた景品交換装置４０から当該会員カード２の会員カードＩＤを受信したことに基づいて、カード受付装置３０によるビジタカード３の受付を解除するための処理を行うビジタ用記録媒体受付可否制御手段として機能するものである。これによれば、カード受付装置３０でビジタカード３を受け付けても、ビジタ当日貯蓄数送信処理を行う前に景品交換装置４０で会員カード２を受け付けると、ビジタカード３の受付が解除されるので、会員カード２に基づく持玉数とビジタカード３に基づく持玉数とが同時進行で更新されることが無く、該持玉数を含む情報の確実なやり取りが担保できる。
【０１０９】
図９は、中継装置１０と持玉サーバ３０とがオフラインの第１オフライン状態で景品交換装置４０が会員カード２を受け付けた場合における景品交換システム１の作用の一例を表すフローチャートである。簡潔に述べると、この場合には、会員カード２の持玉数を特定できないので、会員カード２が排出されて、景品交換処理は行われない。
【０１１０】
具体的に、景品交換装置４０は、Ｓｇ０１で、会員カード２の挿入をカードＲ／Ｗ４７で受け付けると、該会員カード２の記録情報（会員カードＩＤ及び会員ＩＤ）を読み取り、中継装置１０，カード受付装置３０，及び景品交換装置４０は、図４のＳｂ０２〜Ｓｂ０５に示すのと同様に、Ｓｇ０２〜Ｓｇ０５の処理を行うが、中継装置１０と持玉サーバ２０とが通信不能なので、図４のＳｂ１１以下の処理は行わずに、Ｓｇ０６で、所定のエラー処理（例えばエラー画面をディスプレイ１３に表示する）を行う。また景品交換装置４０は、図４のＳｂ２１に示す持玉数通知の受信が無いので、Ｓｇ０７で、タイムアウトを検知して、Ｓｇ０８で、受付中の会員カード２を排出する。
【０１１１】
図１０は、中継装置１０と持玉サーバ２０とがオフラインの第１オフライン状態でカード受付装置３０が会員カード２を受け付けた場合における景品交換システム１の作用の一例を表すフローチャートである。簡潔に述べると、この場合にも、会員カード２の持玉数を特定できないので、会員カード２が排出されて、景品交換処理は行われない。
【０１１２】
具体的に、カード受付装置３０は、Ｓｈ０１で、会員カード２の挿入をカードＲ／Ｗ３３で受け付けると、該会員カード２の記録情報（会員カードＩＤ）を読み取り、中継装置１０，及びカード受付装置３０は、図５のＳｃ０２〜Ｓｃ０３に示すのと同様に、Ｓｈ０２〜Ｓｈ０３の処理を行うが、中継装置１０と持玉サーバ２０とが通信不能なので、図５のＳｃ１１以下の処理は行わずに、Ｓｈ０４で、排出許可通知をカード受付装置３０に対して送信し、該排出許可通知を受信したカード受付装置３０は、Ｓｈ０５で、受付中の会員カード２を排出して、Ｓｈ０６で、排出完了通知を中継装置１０に対して送信する。
【０１１３】
図１１は、中継装置１０と持玉サーバ２０とがオフラインの第１オフライン状態でカード受付装置３０がビジタカード３を受け付けた場合における景品交換システム１の作用の一例を表すフローチャートである。簡潔に述べると、この場合には、該ビジタカード３のビジタカードＩＤに対応付けて持玉サーバ２０で記憶している記憶持玉数は特定できないが、該ビジタカード３が記録している記録持玉数は特定できるので、該記録持玉数を使用した景品交換処理（Ｓｉ３１）が行われる。
【０１１４】
具体的に、カード受付装置３０は、Ｓｉ０１で、ビジタカード３の挿入をカードＲ／Ｗ３３で受け付けると、該ビジタカード３の記録情報（ビジタカードＩＤ，持玉数）を読み取り、中継装置１０，及びカード受付装置３０は、図６のＳｄ０２〜Ｓｄ０３に示すのと同様に、Ｓｉ０２〜Ｓｉ０３の処理を行うが、中継装置１０と持玉サーバ２０とが通信不能なので、図６のＳｄ１１〜Ｓｄ１３の処理は行わずに、Ｓｉ１４で、前記受信したカード情報通知に含まれる４エリアの持玉数を記憶し、図６のＳｄ１５〜Ｓｄ１６の処理は行わずに、図６のＳｄ２１〜Ｓｄ３３に示すのと同様に、Ｓｉ２１〜Ｓｉ３３の処理を行い、図６のＳｄ４１〜Ｓｄ４３，及びＳｄ４７の処理は行わずに、図６のＳｄ４４，Ｓｄ４５，及びＳｄ４８〜Ｓｄ５３に示すのと同様に、Ｓｉ４４，Ｓｉ４５，及びＳｉ４８〜Ｓｉ５３の処理を行う。
【０１１５】
図１２は、中継装置１０と景品交換装置４０とがオフラインの第２オフライン状態で景品交換装置４０が会員カード２を受け付けた場合における景品交換システム１の作用の一例を表すフローチャートである。簡潔に述べると、この場合には、会員カード２の持玉数を特定できないので、会員カード２が排出されて、景品交換処理は行われない。
【０１１６】
具体的に、景品交換装置４０は、Ｓｊ０１で、会員カード２の挿入をカードＲ／Ｗ４７で受け付けると、該会員カード２の記録情報（会員カードＩＤ，会員ＩＤ）を読み取るが、中継装置１０と景品交換装置４０とが通信不能なので、図４のＳｂ０２以下の処理は行わず、図４のＳｂ２１に示す持玉数通知の受信が無いので、Ｓい０２で、タイムアウトを検知して、Ｓい０３で、受付中の会員カード２を排出する。
【０１１７】
図１３は、中継装置１０と景品交換装置４０とがオフラインの第２オフライン状態でカード受付装置３０が会員カード２を受け付けた場合における景品交換システム１の作用の一例を表すフローチャートである。簡潔に述べると、この場合には、会員カード２の持玉数は特定できるが、景品交換装置４０が景品交換処理を行うことはできないので、中継装置１０が、景品交換後の持玉数の入力を受け付けて、前記特定した会員カード２の持玉数を該入力を受け付けた持玉数に更新するための処理を行う。
【０１１８】
具体的に、カード受付装置３０は、Ｓｋ０１で、会員カード２の挿入をカードＲ／Ｗ３３で受け付けると、該会員カード２の記録情報（会員カードＩＤ）を読み取り、中継装置１０，持玉サーバ２０，及びカード受付装置３０は、図５のＳｃ０２〜Ｓｃ１６に示すのと同様に、Ｓｋ０２〜Ｓｋ１６の処理を行うが、中継装置１０と景品交換装置４０とが通信不能なので、図５のＳｃ２１，及びＳｃ２２の処理は行わない。
【０１１９】
そしてＳｋ１４で記憶した持玉数（記憶持玉数）を使用した景品交換を行った後に、遊技場の店員から、Ｓｋ４０で、該景品交換に使用した持玉数（使用持玉数）の入力を受け付けると、Ｓｋ４１で、前記記憶持玉数から該使用持玉数を減算した後の４エリアの持玉数（景品交換後持玉数）を含むカード排出通知を持玉サーバ２０に対して送信し、中継装置１０，持玉サーバ２０，及びカード受付装置３０は、図５のＳｃ４２〜Ｓｃ５３に示すのと同様に、Ｓｋ４２〜Ｓｋ５３の処理を行うと共に、中継装置１０は、Ｓｋ４３の更新通知を受信したことに基づいて、Ｓｋ４７’で、処理結果を記録したレシートをプリンタ１５で印刷して発行する。
【０１２０】
ここでＳｋ１１，及びＳｋ４１の処理を行う制御部１２は、通信可否判定手段により景品交換装置４０と通信不能状態（オフライン）と判定している状態で、カード受付装置３０により会員カード２を受け付けたことに基づいて、当該会員カードＩＤに対応付けて持玉サーバ２０で記憶している持玉数を取得する貯蓄数取得処理を行うと共に、更新すべき持玉数（ここでは使用持玉数）の入力を受け付けたことに基づいて、会員カード２に基づく持玉数を該入力を受け付けた持玉数に基づいて更新する（即ち記憶持玉数を、該使用持玉数を減算した景品交換後持玉数に更新する）ための処理を行う通信不能時処理手段として機能するものである。
【０１２１】
これによれば、会員カード２から特定される持玉数について、景品交換装置４０と通信可能状態では、該景品交換装置４０の指示に応じてのみ、会員カード２から特定される持玉数を更新するための通信可能時貯蓄数更新処理を行うが、景品交換装置４０と通信不能状態では、更新すべき持玉数の入力を受け付けると、景品交換装置４０の指示によらずに、会員カード２から特定される持玉数を該更新すべき持玉数に更新するための通信不能時貯蓄数更新処理を行うので、景品交換装置４０と通信不能になったり景品交換装置４０が故障しても景品交換業務を可能にしつつ、持玉数管理の確実性を担保できる。
【０１２２】
またＳｋ４７’の処理を行う制御部１２及びプリンタ１５は、前記通信不能時貯蓄数更新処理の処理結果を特定可能な情報が記録された処理結果記録媒体（ここでは処理結果記録レシート）を発行する処理結果記録媒体発行手段として機能するものである。これによれば、該処理結果記録媒体から特定される処理結果と照らし合わせての持玉数管理が可能である。
【０１２３】
図１４は、中継装置１０と景品交換装置４０とがオフラインの第２オフライン状態でカード受付装置３０がビジタカード３を受け付けた場合における景品交換システム１の作用の一例を表すフローチャートである。簡潔に述べると、この場合には、ビジタカード３の持玉数は特定できるが、景品交換装置４０が景品交換処理を行うことはできないので、中継装置１０が、景品交換後の持玉数の入力を受け付けて、前記特定したビジタカード３の持玉数を該入力を受け付けた持玉数に更新するための処理を行う。
【０１２４】
具体的に、カード受付装置３０は、Ｓｌ０１で、ビジタカード３の挿入をカードＲ／Ｗ３３で受け付けると、該ビジタカード３の記録情報（ビジタカードＩＤ，持玉数）を読み取り、中継装置１０，持玉サーバ２０，及びカード受付装置３０は、図６のＳｄ０２〜Ｓｄ１６に示すのと同様に、Ｓｌ０２〜Ｓｌ１６の処理を行うが、中継装置１０と景品交換装置４０とが通信不能なので、図６のＳｄ２１，Ｓｄ２２，及びＳｄ３１〜Ｓｄ３４の処理は行わない。
【０１２５】
そしてＳｌ１４で記憶した持玉数（記憶持玉数）を使用した景品交換を行った後に、遊技場の店員から、Ｓｌ４０で、該景品交換に使用した持玉数（使用持玉数）の入力を受け付けると、Ｓｌ４１で、前記記憶持玉数から該使用持玉数を減算した後の４エリアの持玉数（景品交換後持玉数）を含むカード排出通知を持玉サーバ２０に対して送信し、中継装置１０，持玉サーバ２０，及びカード受付装置３０は、図６のＳｄ４２〜Ｓｄ５３に示すのと同様に、Ｓｌ４２〜Ｓｌ５３の処理を行うと共に、中継装置１０は、Ｓｌ４３の更新通知を受信したことに基づいて、図１３のＳｋ４７’に示すのと同様に、Ｓｌ４７’で、処理結果を記録したレシートをプリンタ１５で印刷して発行する。
【０１２６】
ここでＳｌ１１，及びＳｌ４１の処理を行う制御部１２は、通信可否判定手段により景品交換装置４０と通信不能状態（オフライン）と判定している状態で、カード受付装置３０によりビジタカード３を受け付けたことに基づいて、当該ビジタカード３のビジタカードＩＤから持玉数を特定する貯蓄数特定処理を行うと共に、更新すべき持玉数（ここでは使用持玉数）の入力を受け付けたことに基づいて、前記特定した持玉数を該入力を受け付けた持玉数に基づいて更新する（即ち記憶持玉数を、該使用持玉数を減算した景品交換後持玉数に更新する）ための処理を行う通信不能時処理手段として機能するものである。
【０１２７】
これによれば、景品交換装置４０と通信可能状態では、該景品交換装置４０の指示に応じてのみ、ビジタカード３から特定される持玉数を更新するための通信可能時貯蓄数更新処理を行うが、景品交換装置４０と通信不能状態では、更新すべき持玉数の入力を受け付けると、景品交換装置４０の指示によらずに、ビジタカード３から特定される持玉数を該更新すべき持玉数に更新するための通信不能時貯蓄数更新処理を行うので、景品交換装置４０と通信不能になったり景品交換装置４０が故障しても景品交換業務を可能にしつつ、持玉数管理の確実性を担保できる。
【０１２８】
以上に説明した本実施形態は、図１５（ａ）に示すように、貯蓄数管理装置（持玉サーバ２０）と遊技用装置（中継装置１０＋カード受付装置３０）とが通信可能であり、かつ遊技用装置と景品交換装置４０とが通信可能な景品交換システム１において、遊技用装置と景品交換装置４０とがオフラインの場合には、遊技用装置でカード（会員カード２又はビジタカード３）を受け付けると、景品交換装置４０の指示によらずに、該カードに基づく貯蓄数（持玉数）を更新可能な技術であるが、かかる技術は、機器の配置が異なる変形例１又は変形例２のような景品交換システム１にも適用可能である。
【０１２９】
例えば図１５（ｂ）に示す変形例１の如く、遊技用装置が中継装置を備えずにカード受付装置のみからなり、貯蓄数管理装置と遊技用装置とが通信可能であり、かつ遊技用装置と景品交換装置とが通信可能であって、遊技用装置がカードを受け付けると、該カードの貯蓄数を貯蓄数管理装置から取得して景品交換装置に対して送信して、該景品交換装置において当該貯蓄数を使用した景品交換処理を行う景品交換システムにおいて、遊技用装置と景品交換装置とがオフラインの場合には、遊技用装置でカードを受け付けると、景品交換装置の指示によらずに、該カードに基づく貯蓄数を更新可能とすることができる。
【０１３０】
また図１５（ｃ）に示す変形例２の如く、遊技用装置が中継装置を備えずにカード受付装置のみからなり、貯蓄数管理装置と遊技用装置とが通信可能であり、かつ貯蓄数管理装置と景品交換装置とが通信可能であって、遊技用装置がカードを受け付けると、該カードの貯蓄数が貯蓄数管理装置から景品交換装置に対して送信されて、該景品交換装置において当該貯蓄数を使用した景品交換処理を行う景品交換システムにおいて、貯蓄数管理装置と景品交換装置とがオフライン（換言すれば貯蓄数管理装置を介した遊技用装置と景品交換装置とがオフライン）の場合には、遊技用装置でカードを受け付けると、景品交換装置の指示によらずに、該カードに基づく貯蓄数を更新可能とすることができる。
【０１３１】
最後に、本発明の変形例について説明する。
【０１３２】
上記の実施形態では、図２に示すように、会員当日貯蓄数特定情報（会員カードＩＤ）と過去貯蓄数特定情報（会員ＩＤ）とが異なる情報である例について説明したが、これに限らず、該会員当日貯蓄数特定情報と過去貯蓄数特定情報は同一の情報であっても良い。
【０１３３】
上記の実施形態では、図１に示すように、会員カード２に持玉数や貯玉数が記録されていない例について説明したが、これに限らず、該会員カード２に持玉数や貯玉数が記録されていても良く、この場合には、会員当日貯蓄数零更新処理として、図４のＳｂ１１に示す処理に加えて、該記録されている持玉数を零にするために、図６のＳｄ２３の如き処理を行うのが好ましい。
【０１３４】
上記の実施形態では、図１に示すように、ビジタカード３に持玉数が記録されている例について説明したが、これに限らず、該ビジタカード３に持玉数が記録されていなくても良く、この場合には、ビジタ当日貯蓄数零更新処理として、図６のＳｄ２３に示す処理は行われず、また中継装置１０と持玉サーバ２０とがオフラインの第１オフライン状態でカード受付装置３０がビジタカード３を受け付けても、図１１の処理（即ちビジタカード３に記録されている持玉数を使用した景品交換処理）は行われず、図１０の如き処理（即ちビジタカード３に持玉数が記録されていないので、景品交換業務を行うことができず、ビジタカード３を排出する処理）が行われる。
【０１３５】
上記の実施形態では、カード受付装置３０のカードＲ／Ｗ３３や景品交換装置４０のカードＲ／Ｗ４７においてカード（会員カード２及び／又はビジタカード３）が挿入されることにより、該カードが受け付けられる例について説明したが、これに限らず、これらカードＲ／Ｗにカードが近接され、該カードのＩＣチップから非接触で記録情報を読み取って該読み取った記録情報を記憶することにより、該カードが受け付けられるものであっても良い。
【０１３６】
上記の実施形態では、図２に示すように、持玉ＤＢ２３や貯玉ＤＢ５３において、複数の種別（４エリア）の玉数を記憶している例について説明したが、これに限らず、該玉数を１種類のみ記憶するものであっても良く、また複数の種別の玉数を記憶する場合には、２以上の種別を記憶するものであれば良い。
【０１３７】
上記の実施形態では、図４のＳｂ０２，図８のＳｆ０２’，及び図９のＳｇ０２に示すように、会員カード２の挿入を受け付けた景品交換装置４０から中継装置１０に対して、該会員カード２の会員カードＩＤを含む会員カード挿入通知が送信され、図４のＳｂ１１，及び図８のＳｆ１１に示すように、該中継装置１０から持玉サーバ２０に対して、当該会員カードＩＤを含むカード挿入通知が送信されて、持玉サーバ２０において、当該会員カードＩＤに対応する４エリアの持玉数が抽出される例について説明したが、これに限らず、会員カードＩＤではなく会員ＩＤを含む会員カード挿入通知が送信され、該会員ＩＤを含むカード挿入通知が送信されて、持玉サーバ２０において、当該会員ＩＤに対応する４エリアの持玉数が抽出されるようにしても良い。この場合において、図１に示すように、会員カード２のＩＣチップに会員カードＩＤと会員ＩＤの両方が記録されるのではなく、ＩＣチップに会員カードＩＤ，磁気テープに会員ＩＤが記録されるように構成して、カード受付装置３０のカードＲ／Ｗ３３はＩＣチップの会員カードＩＤを読み取り、景品交換装置４０のカードＲ／Ｗ４７は磁気テープの会員ＩＤを読み取るように構成しても良い。
【０１３８】
上記の実施形態では、図４のＳｂ３３等に示すように、ビジタ当日貯蓄数判定手段として機能する制御部１２が、景品交換処理で減算が行われなかった場合（例えばキャンセルされた場合）を考慮して、記憶持玉数が処理後持玉数以上であるか否かを判定する例について説明したが、これに限らず、例えば景品交換処理では必ず減算が行われることを考慮して、記憶持玉数が処理後持玉数を超えているか否かを判定するようにしても良く、また景品交換処理では必ず最低交換玉数以上の減算が行われることを考慮して、記憶持玉数が（処理後持玉数−最低交換玉数）を超えているか否かを判定するようにしても良い。即ちビジタ当日貯蓄数判定手段は、記憶持玉数と処理後持玉数とが正常な関係であるか否かを判定するものであれば良い。
【０１３９】
上記の実施形態では、図１３のＳｋ４０や図１４のＳｌ４０で、使用持玉数の入力を受け付け、記憶持玉数から使用持玉数を減じて景品交換後持玉数を算出する例について説明したが、これに限らず、景品交換後持玉数の入力を受け付けて、該景品交換後持玉数の算出は行わないものであっても良い。即ち更新すべき貯蓄数の入力を受け付けるものであれば良い。
【０１４０】
上記の実施形態では、図１３のＳｋ４０や図１４のＳｌ４０で、中継装置１０の入力装置１４で入力された使用持玉数を制御部１２が把握する例について説明したが、これに限らず、中継装置１０と通信可能な他の装置で入力された使用持玉数を制御部１２が把握するものであっても良い。即ち通信不能時処理手段として機能する制御部１２は、更新すべき貯蓄数の入力を受け付けたことに基づいて通信不能時貯蓄数更新処理を行うものであれば良く、その入力形態は特に限定されない。
【０１４１】
上記の実施形態では、図１３のＳｋ４７’や図１４のＳｌ４７’で、処理結果記録媒体として、レシートを発行する例について説明したが、これに限らず、カードを発行しても良い。即ち処理結果記録媒体発行手段は、通信不能時貯蓄数更新処理の処理結果を特定可能な情報が記録された処理結果記録媒体を発行するものであれば良い。
【符号の説明】
【０１４２】
１…景品交換システム
２…会員カード
３…ビジタカード
１０…中継装置
１１ａ…第１通信部（持玉サーバ用）
１１ｂ…第２通信部（カード受付装置用）
１１ｃ…第３通信部（景品交換装置用）
１２…制御部
１３…ディスプレイ
１４…入力装置
１５…プリンタ
２０…持玉サーバ
２１…通信部
２２…制御部
２３…持玉ＤＢ
３０…カード受付装置
３１…通信部
３２…制御部
３３…カードＲ／Ｗ（ビジタカード及びオフライン時の会員カードを受付）
３４…シャッタ
４０…景品交換装置
４１ａ…貯玉サーバ通信部
４１ｂ…中継装置通信部
４２…制御部
４３…ディスプレイ（店員向け）
４４…入力装置（店員向け）
４５…バーコードリーダ
４６…（タッチパネル式）ディスプレイ（遊技者向け）
４７…カードＲ／Ｗ（会員カードを受付）
５０…貯玉サーバ
５１…通信部
５２…制御部
５３…貯玉ＤＢ
【図１】
0005504096.tif 000002
【図２】
0005504096.tif 000003
【図３】
0005504096.tif 000004
【図４】
0005504096.tif 000005
【図５】
0005504096.tif 000006
【図６】
0005504096.tif 000007
【図７】
0005504096.tif 000008
【図８】
0005504096.tif 000009
【図９】
0005504096.tif 000010
【図１０】
0005504096.tif 000011
【図１１】
0005504096.tif 000012
【図１２】
0005504096.tif 000013
【図１３】
0005504096.tif 000014
【図１４】
0005504096.tif 000015
【図１５】
0005504096.tif 000016